(57)【要約】【課題】肥満型体形の人が手軽に外見上のスタイルを整えられるようにすることである。【解決手段】体形補整衣類１を、衣類本体２の裏側に伸縮部材からなる筒形の裏地３を着用者の腹部を囲むように取り付け、この裏地３で着用者の腹部を締め付ける構造とし、この体形補整衣類１を肥満型体形の人が着用することにより、従来の窮屈な体形補整下着を着用するときの面倒さを感じることなく、手軽に外見上のスタイルを整えられるようにしたのである。【選択図】図１
0003115444.tif 000002
【実用新案登録請求の範囲】
【請求項１】
衣類本体の裏側に伸縮部材からなる筒形の裏地を着用者の腹部を囲むように取り付け、この裏地で着用者の腹部を締め付けるようにした体形補整衣類。
【請求項２】
前記衣類本体を、着用者の腹部を囲む部位の１箇所が縦方向に切断されてファスナで開閉されるものとし、前記裏地の周方向の１箇所を切断して、その切断箇所の両側の周端部をそれぞれ前記ファスナを挟んで対向するように衣類本体に縫い付けたことを特徴とする請求項１に記載の体形補整衣類。
【請求項３】
前記裏地を、周方向の１箇所で切断され、その切断箇所の両側の周端部どうしがラップした状態で係止されるものとし、この裏地の周端部どうしを係止するときのラップ長さを調整可能としたことを特徴とする請求項１に記載の体形補整衣類。
【考案の詳細な説明】
【技術分野】
【０００１】
本考案は、肥満型体形の人が着用するのに好適な体形補整衣類に関する。
【背景技術】
【０００２】
一般に、肥満型体形の人は、図６に示すように、衣類５１を着た状態でもその腹部Ｂの膨出が目立ちやすい。このため、特に女性には、外見上のスタイルをより美しく見せるために、体形を矯正する機能を有する体形補整下着を着用している人が少なくない。このような体形補整下着としては、例えば、いずれも伸縮部材からなる前身頃と後身頃とを縫合した着衣体に、着衣体と同じ素材の締付布を着用者の腹部を囲むように縫い付け、これらの伸縮性を有する二重布で着用者の腹部を締め付けるようにしたものがある（特許文献１参照。）。
【特許文献１】実公昭５７−２０５６１号公報
【０００３】
しかしながら、上記のような体形補整下着は、一般に、着用により体形を矯正していくことを目的としているため、締付力が強く、着用したときにかなり窮屈な感じを受ける。従って、Ｔシャツ等の身軽な服装で短時間外出する間だけ外見上のスタイルを整えたいというような人には、着用が面倒に感じられ、着用を敬遠される場合も多い。
【０００４】
また、男性の場合は、体形補整下着の着用は一般的でなく、外見上のスタイルを整えるための他の有効な手段もないのが現状である。
【考案の開示】
【考案が解決しようとする課題】
【０００５】
本考案の課題は、肥満型体形の人が手軽に外見上のスタイルを整えられるようにすることである。
【課題を解決するための手段】
【０００６】
本考案は、上記の課題を解決するために、衣類本体の裏側に伸縮部材からなる筒形の裏地を着用者の腹部を囲むように取り付け、この裏地で着用者の腹部を締め付けるようにした体形補整衣類を提供するものである。
【０００７】
すなわち、肥満型体形の人は、伸縮性裏地で着用者の腹部を締め付ける本考案の体形補整衣類を着用することにより、従来の窮屈な体形補整下着を着用するときの面倒さを感じることなく、手軽に外見上のスタイルを整えることができる。
【０００８】
上記の構成において、前記衣類本体を、着用者の腹部を囲む部位の１箇所が縦方向に切断されてファスナで開閉されるものとし、裏地の周方向の１箇所を切断して、その切断箇所の両側の周端部をそれぞれファスナを挟んで対向するように衣類本体に縫い付ければ、ファスナを開状態にすることにより、着用者が裏地の締め付けを受けることなく楽に着脱を行えるようになる。
【０００９】
また、前記裏地を、周方向の１箇所で切断され、その切断箇所の両側の周端部どうしがラップした状態で係止されるものとし、この裏地の周端部どうしを係止するときのラップ長さを調整可能とすれば、着用者の体形等に応じて裏地のウエスト寸法を調整して、適切な締付力で着用者のスタイルを整えることができる。
【考案の効果】
【００１０】
本考案の体形補整衣類は、上述したように、伸縮部材からなる裏地で着用者の腹部を締め付けるようにしたものであるから、短時間の外出のような場合にも、手軽に着用して着用者の外見上のスタイルを整えることができる。
【考案を実施するための最良の形態】
【００１１】
以下、図１乃至図５に基づき、この考案の実施形態を説明する。図１乃至図３は第１の実施形態を示す。この体形補整衣類１は、図１に示すように、Ｔシャツ形の衣類本体２の裏側に、網目状の伸縮部材からなる筒形の裏地３を、着用者の腹部を囲むように縫い付けたものである。なお、衣類本体は、Ｔシャツ形のものに限らず、ランニングシャツや長袖シャツ等、各種の通常の上衣を採用できる。また、裏地は、伸縮性を有する生地で形成されていればよく、必ずしも網目状でなくてもよいが、通気性や肌触りが良いものが好ましい。
【００１２】
図２にも示すように、前記衣類本体２は、左側部が下端から腋下近傍まで切断されて、スライドファスナ４で開閉されるようになっている。また、前記裏地３は、周方向の１箇所で切断されており、その切断箇所の両側の周端部がそれぞれ衣類本体２のファスナ４を挟んで対向するように縫い付けられ、その切断箇所と相対する部位が衣類本体２の右側部に縫い付けられている。すなわち、衣類本体２のファスナ４を閉状態にすれば、裏地３が筒形となって着用者の腹部を締め付け、ファスナ４を開状態にすれば、着用者が裏地３の締め付けを受けることなく楽に着脱できるようになっている。
【００１３】
図３は、この体形補整衣類１を肥満型体形の人が着用した状態を示す。着用者Ａは、上述のようにスライドファスナ４を開状態にした衣類１を着た後、ファスナ４を閉状態にすることにより、衣類１の裏地３で腹部Ｂを締め付けられ、外見上のスタイルを整えることができる。
【００１４】
この体形補整衣類１は、上記の構成であり、伸縮部材からなる裏地３で着用者Ａの腹部Ｂを締め付けるようになっているので、従来の体形補整下着に比べて、手軽に着用者Ａの外見上のスタイルを整えることができる。また、男性も抵抗なく着用できるため、体形補整下着よりも利用範囲が広い。
【００１５】
図４および図５は第２の実施形態を示す。この実施形態では、第１の実施形態と同じ素材の筒形の裏地５を、衣類本体２の両側部に縫い付けるとともに、着用者Ａの腹部Ｂの前面中央付近で切断して、その切断箇所の両側の周端部に互いに結合する面ファスナ６ａ、６ｂをそれぞれ取り付けている。すなわち、この体形補整衣類１は、裏地５の周端部どうしをラップさせて面ファスナ６ａ、６ｂで係止することにより腹部Ｂを締め付けるようにしたもので、そのときの裏地５周端部どうしのラップ長さＬの調整も可能となっている。従って、着用者Ａの体形等に応じて裏地５のウエスト寸法を調整して、適切な締付力で着用者Ａのスタイルを整えることができる。このとき、腹部Ｂを締め付ける裏地５と衣類本体２との間に隙間が生じるように調整すれば、衣類本体２に適度な皺等ができて着用者Ａのスタイルがよりスマートに見えやすい。
【００１６】
なお、裏地の周端部どうしを係止する手段は、上記のような面ファスナに限らず、周端部のラップ長さを調整できるようになっていればよい。例えば、両周端部の一方にフックを取り付け、他方にフックを掛けるリング部を周方向の複数個所に形成するようにしてもよい。
【００１７】
上述した各実施形態では、裏地を衣類本体の両側部に縫い付けるようにしたが、裏地の衣類本体への取り付けは縫い付けに限らず、例えば、切断箇所のない裏地を用いる場合には、衣類本体の裏側に設けたリング部に裏地を通すようにしてもよい。
【図面の簡単な説明】
【００１８】
【図１】第１の実施形態の体形補整衣類の一部切欠き正面図
【図２】図１の衣類のファスナ開状態の外観斜視図
【図３】図１の衣類の着用状態を示す縦断面図
【図４】第２の実施形態の体形補整衣類の一部切欠き正面図
【図５】図４の衣類の着用状態を示す横断面図
【図６】通常の衣類の着用状態を示す縦断面図
【符号の説明】
【００１９】
１  体形補整衣類
２  衣類本体
３  裏地
４  スライドファスナ
５  裏地
６ａ、６ｂ  面ファスナ
Ａ  着用者
Ｂ  腹部
【図１】
0003115444.tif 000003
【図２】
0003115444.tif 000004
【図３】
0003115444.tif 000005
【図４】
0003115444.tif 000006
【図５】
0003115444.tif 000007
【図６】
0003115444.tif 000008